(57)【要約】【課題】  機能モジュールの交換、追加によって所望の機能が実現できるようにし、かつ、複数の機能モジュールを取付けた状態で携帯可能な構成とする。【解決手段】  電源部を内蔵している本体部１１と、この本体部１１の取付レール１２に着脱可能に取付けられる機能モジュール１３とを備え、機能モジュール１３は、取付レール１２を介して、本体部１１の電源部より電源供給をなされ、本体部１１内の電子回路及び他の機能モジュール１３内の電子回路との間の信号伝達を行う。【選択図】  図１
2005142755.tif 000002
【特許請求の範囲】
【請求項１】
少なくとも電源部を内蔵している本体部と、
少なくとも一の機能モジュールと
を備え、
上記本体部は、上記機能モジュールが着脱可能に取付けられる取付扞を備えており、
上記機能モジュールの少なくとも一は、通信回路部を内蔵しており、上記取付扞に取付けられることにより、この取付扞を介して、上記本体部の電源部より通信回路部への電源供給をされるとともに、この通信回路部と該本体部内の電子回路との間の信号伝達を行う
ことを特徴とする携帯端末装置。
【請求項２】
請求項１記載の携帯端末装置であって、
上記取付扞は、略々直線のレール状に形成されており、
上記機能モジュールは、上記取付扞に対して、この取付扞の長手方向にスライド可能に取付けられていることを特徴とする携帯端末装置。
【請求項３】
請求項１記載の携帯端末装置であって、
上記取付扞は、リング状に形成されており、
上記機能モジュールは、上記取付扞に対して、この取付扞に沿ってスライド可能に取付けられていることを特徴とする携帯端末装置。
【請求項４】
請求項１記載の携帯端末装置であって、
上記取付扞から上記機能モジュールへの電源供給及びこれら取付扞及び機能モジュール間の信号伝達は、電磁誘導によって行われ、
上記取付扞及び上記機能モジュール間の信号伝達は、該取付扞から該機能モジュールへの電源供給のための周波に重畳された周波によって行われることを特徴とする携帯端末装置。
【請求項５】
請求項１記載の携帯端末装置であって、
上記本体部は、上記取付扞に上記機能モジュールが取付けられたときに取付けられた機能モジュールが有している機能を表示する表示手段を備えていることを特徴とする携帯端末装置。
【請求項６】
少なくとも通信回路部を内蔵しており、少なくとも電源部を内蔵している本体部の取付扞に取付けられて使用され、
上記取付扞に取付けられることにより、この取付扞を介して、上記本体部の電源部より上記通信回路部への電源供給をされるとともに、この通信回路部と該本体部内の電子回路との間の信号伝達を行う
ことを特徴とする携帯端末装置用機能モジュール。
【発明の詳細な説明】
【技術分野】
【０００１】
本発明は、いわゆる携帯電話端末、ＰＨＳ（登録商標）端末、ＰＤＡ等のような無線送受信によってデータの送受信を行う携帯端末装置及びこのような携帯端末装置において本体部に接続されて使用される携帯端末装置用機能モジュールに関する。
【背景技術】
【０００２】
従来、いわゆる携帯電話端末などのような携帯端末装置は、電源部、通信回路部及び表示部などの種々の機能部が筐体に収納されて一体的に構成されている。また、このような携帯端末装置においては、この携帯端末装置の機能の拡大、拡充のために、例えば、拡張メモリ素子などを着脱可能に装着できるようになっているものが提案されている。
【０００３】
また、従来の携帯端末装置においては、公開特許公報（特開２００１−３０９０２７公報：特許文献１）に記載されているように、表示部を本体部から取り外すことができ、これら表示部及び本体部が互いに離間している状態でも両者間におけるデータ通信が可能となっているものが提案されている。
【０００４】
さらに、従来の携帯端末装置においては、公開特許公報（特開２００１−２３０９５４公報：特許文献２）に記載されているように、ＣＣＤカメラユニット部が本体部に対して着脱可能となされており、このＣＣＤカメラユニット部に代えて、別の機能を有する電子機器ユニット部、例えば、通信ユニット部などを取付けることが可能となされたものが提案されている。
【特許文献１】特開２００１−３０９０２７公報（第３頁〜第８頁：図２）
【特許文献２】特開２００１−２３０９５４公報（第３頁〜第７頁：図１）
【発明の開示】
【発明が解決しようとする課題】
【０００５】
ところで、近年の携帯端末装置においては、一層の機能の拡大、拡充が図られており、ＣＣＤカメラによる撮像機能のみならず、ゲーム機能やテレビジョン受信機能、ナビゲーション機能などを備えるものが提案されている。
【０００６】
携帯端末装置においては、このような機能の拡大、拡充を図り、種々の機能を全て備えようとすると、装置構成を小型化することが困難となる。
【０００７】
しかし、携帯端末装置におけるこのような種々の機能は、常に全てが必要となるわけではなく、また、使用する人によって必要とされる機能は異なる。したがって、このような種々の機能を全て備えることは、必要のない機能を備えることによって、携帯端末装置を無駄に大型化しているということになってしまう。
【０００８】
すなわち、使用する人や使用目的に応じて、必要な機能のみが備えられているようにすることによって、携帯端末装置の小型化を図ることができるはずである。
【０００９】
ところが、上述の特許文献１に記載された携帯端末装置においては、もともと本体部と一体的に構成されていた表示部がこの本体部に対して着脱可能となっているにすぎず、この表示部に代えて、他の機能を有するユニットを本体部に取付けることはできない。
【００１０】
また、上述の特許文献２に記載された携帯端末装置においては、本体部に対して一つの電子機器ユニット部しか取付けることができず、例えば、通信ユニット部を取り付けた場合においては、カメラユニット部を取付けることができない。したがって、この携帯端末装置においては、使用したい機能を実現するために２つの電子機器ユニット部が必要である場合においても、これら２つの電子機器ユニット部を同時に取付けることができない。
【００１１】
本発明は、上述の課題に鑑みてなされたものであって、使用する人や使用目的に応じた必要な機能のみが備えられているようにして装置構成の小型化が図られ、また、複数の機能を同時に備えることもできるようになされた携帯端末装置を提供し、また、このような携帯端末装置において使用される携帯端末装置用機能モジュールを提供しようとするものである。
【課題を解決するための手段】
【００１２】
上述の課題を解決するため、本発明に係る携帯端末装置は、少なくとも電源部を内蔵している本体部と、少なくとも一の機能モジュールとを備え、本体部は、機能モジュールが着脱可能に取付けられる取付扞を備えており、機能モジュールの少なくとも一は、通信回路部を内蔵しており、取付扞に取付けられることにより、この取付扞を介して、本体部の電源部より通信回路部への電源供給をされるとともに、この通信回路部と本体部内の電子回路との間の信号伝達を行うことを特徴とするものである。
【００１３】
この携帯端末装置においては、機能モジュールを交換、または、追加することによって、使用する人や使用目的に応じた必要な機能のみが備えられるようにすることができる。
【００１４】
また、本発明に係る携帯端末装置用機能モジュールは、少なくとも通信回路部を内蔵しており、少なくとも電源部を内蔵している本体部の取付扞に取付けられて使用され、取付扞に取付けられることによりこの取付扞を介して本体部の電源部より通信回路部への電源供給をされるとともに、この通信回路部と本体部内の電子回路との間の信号伝達を行うことを特徴とするものである。
【００１５】
この携帯端末装置用機能モジュールにおいては、本体部に対して選択的に取付けられることによって、使用する人や使用目的に応じた必要な機能のみを備えた携帯端末装置を構成することができる。
【発明の効果】
【００１６】
本発明に係る携帯端末装置においては、機能モジュールを交換することによって、使用する人や使用目的に応じた必要な機能のみを備えることができる。また、この携帯端末装置においては、機能モジュールを追加することによって、機能の拡大、拡充を図ることができる。
【００１７】
また、本発明に係る携帯端末装置用機能モジュールにおいては、本体部に対して選択的に取付けられることによって、使用する人や使用目的に応じた必要な機能のみを備えた携帯端末装置を構成することができる。
【００１８】
すなわち、本発明は、使用する人や使用目的に応じた必要な機能のみが備えられているようにして装置構成の小型化が図られ、また、複数の機能を同時に備えることもできるようになされた携帯端末装置を提供することができ、また、このような携帯端末装置において使用される携帯端末装置用機能モジュールを提供することができるものである。
【発明を実施するための最良の形態】
【００１９】
以下、本発明を実施するための最良の形態について、図面を参照しながら説明する。
【００２０】
〔第１の実施の形態の構成〕
この携帯端末装置は、図１に示すように、少なくとも電源部を内蔵している本体部１１を有して構成されている。この本体部１１は、筐体内に電源部及び電子回路部を内蔵して構成されており、電源部として、いわゆる乾電池などの一次電池、または、充電可能な二次電池を内蔵している。
【００２１】
この本体部１は、後述する複数の機能モジュール１３が取付けられる取付扞となるレール１２を備えている。この実施の形態においては、レール１２は、略々直線のレール状に形成されている。このレール１２は、本体部１１の筐体より外方側に突出されてこの筐体に取付けられている。
【００２２】
そして、レール１２には、少なくとも一の機能モジュール１３が着脱可能に取付けられる。また、各機能モジュール１３は、レール１２に対して、このレール１２の長手方向にスライド可能に取付けられる。
【００２３】
レール１２は、図２に示すように、中空の円筒状に形成されている。このレール１２の内周面１２１には、複数本、例えば、５本の電極１２１ａ，１２１ｂ，１２１ｃ，１２１ｄ，１２１ｅが、このレール１２の軸心に沿って設けられている。これら電極１２１ａ，１２１ｂ，１２１ｃ，１２１ｄ，１２１ｅは、レール１２の内周面にこのレール１２の軸心に沿って形成された溝内に配置されている。
【００２４】
これら電極のうちの２つの電極１２１ａ，１２１ｂは、電源供給用の電極であり、一方がホルダ１１内の電池の陽極に、他方がホルダ１１内の電池の陰極に、それぞれ接続されている。そして、他の電極１２１ｃ，１２１ｄ，１２１ｅは、それぞれ本体１１と機能モジュール１３との間の信号伝達を行うための制御ライン、データライン、アドレスラインとして設けられている。
【００２５】
そして、レール１２には、機能モジュール１３が挿入されるためのスリット１２２が、レール１２の軸心に沿って形成されている。
【００２６】
なお、この実施の形態においては、レール１２の電極の本数は５本となっているが、機能モジュールが有する機能に応じて、電極の本数は５本より少なくてもよく、また、多くてもよい。
【００２７】
各機能モジュール１３は、この携帯端末装置の機能を司る要素であり、例えば、メイン制御部、通信回路部、表示部などのうちいずれか１つまたは複数の機能部を筐体に内蔵して構成されている。この実施の形態においては、これら機能モジュール１３の少なくとも一は、携帯端末装置用モジュールであって、通信回路部を内蔵したものである。
【００２８】
この機能モジュール１３は、図３に示すように、機能部となる電子回路を内蔵した筐体１３１を有し、この筐体１３１の一端部側に、レール１２への連結用のヘッド１３２を備えている。このヘッド１３２は、レール１２内に収納されこのレール１２内を摺動し得る大きさの円柱状に構成されており、機能モジュール１３の筐体１３１に対して、ネック部１３３を介して取付けられている。このネック部１３３は、レール１２のスリット１２２内に挿入可能な厚さに形成されている。
【００２９】
ヘッド１３２の外周面部には、このヘッド１３２の一端側に位置して５本の端子１３２ａが設けられ、このヘッド１３２の他端側に位置して５本の端子１３２ｂが設けられている。これら端子１３２ａ，１３２ｂは、ヘッド１３２の軸心方向に位置する２本の端子が対となり、計５対の端子として設けられている。これら端子１３２ａ，１３２ｂは、レール１２内にヘッド１３２が挿入されたときに、このレール１２内の各電極１２１ａ，１２１ｂ，１２１ｃ，１２１ｄ，１２１ｅにそれぞれ一対の電極が対応する位置に設けられている。すなわち、１本の電極に対して、対をなす２本の端子１３２ａ，１３２ｂが接触される。
【００３０】
これら端子１３２ａ，１３２ｂは、図４に示すように、ヘッド１３２の外周面に対して、進退可能に取付けられている。すなわち、各端子１３２ａ，１３２ｂは、導通材料により棒状に形成され、ヘッド１３２の外壁部に設けられた孔１３２ｃ内に挿入され、この孔１３２ｃより先端側を外方側に突出させた状態で配置されている。各端子１３２ａ，１３２ｂは、基端側にフランジ状の拡径部を有しており、孔１３２ｃより外方側に抜け出すことが防止されている。そして、各端子１３２ａ，１３２ｂは、後端部を、ヘッド１３２内に配置された圧縮コイルバネ１３２ｅにより、外方側に向けて弾性付勢されている。この圧縮コイルバネ１３２ｅは、各端子１３２ａ，１３２ｂの後端部とヘッド１３２内の支持壁１３２ｄとの間に圧縮されて挿入されている。
【００３１】
そして、各端子１３２ａ，１３２ｂは、基端側部分に接続されたコード１３２ｆを介して、機能モジュール１３の機能部を構成する電子回路に接続されている。例えば、グランド用の端子は、機能モジュール１３内の電子回路のグランドラインに接続されている。
【００３２】
このような構造の機能モジュール１３は、図５に示すように、ヘッド１３２をレール１２の先端部よりこのレール１２内に挿入することで、レール１２に装着される。このとき、ネック部１３３をレール１２のスリット１２２内に挿入することにより、各端子１３２ａ、１３２ｂがレール１２内の各電極１２１ａ，１２１ｂ，１２１ｃ，１２１ｄ，１２１ｅに対応される。そして、各機能モジュール１３は、このレール１２に対して、本体部１１の方向にスライド可能となる。
【００３３】
このようにヘッド１３２がレール１２内に挿入されたときには、図６に示すように、各端子１３２ａ，１３２ｂは、それぞれ電極１２１ａ，１２１ｂ，１２１ｃ，１２１ｄ，１２１ｅに接続される。このとき、各端子１３２ａ，１３２ｂは、圧縮コイルバネ１３２ｅによってレール１２の内周面に向けて付勢されているので、各端子１３２ａ，１３２ｂと各電極１２１ａ，１２１ｂ，１２１ｃ，１２１ｄ，１２１ｅとの確実な接触がなされる。
【００３４】
機能モジュール１３内には、機能部１３０となる電子回路部と、補償回路１３０ａが設けられている。機能部１３０は、各機能モジュール１３の機能を実行する回路である。補償回路１３０ａは、例えば、バッファ回路と二次電池とを有しており、機能部１３０へのデータの授受及び電源供給の短時間の欠落を監視し、欠落が生じたときには、欠落が生じた間のデータを記憶し、補償する。
【００３５】
機能モジュール１３内の機能部１３０の各ラインは、各端子１３２ａ，１３２ｂを介して、レール１２の対応する各電極１２１ａ，１２１ｂ，１２１ｃ，１２１ｄ，１２１ｅと電気的に接続される。これにより、機能部１３０は、本体部１１内の電源及び電子回路部、さらに他の機能モジュールの機能部と接続される。各機能モジュール１３は、このようにレール１２に取付けられることにより、このレール１２の各電極１２１ａ，１２１ｂ，１２１ｃ，１２１ｄ，１２１ｅを介して、本体部１１の電源部より機能部１３０への電源供給をされる。また、各機能モジュール１３は、レール１２の各電極１２１ａ，１２１ｂ，１２１ｃ，１２１ｄ，１２１ｅを介して、機能部１３０と本体部１１内の電子回路との間及び他の機能モジュールの機能部との間の信号伝達を行う。
【００３６】
すなわち、機能部として通信回路部を有する携帯端末装置用機能モジュールは、本体部１１のレール１２に取付けられることにより、このレール１２を介して、本体部１１の電源部より通信回路部への電源供給をされるとともに、この通信回路部と本体部１１内の電子回路との間の信号伝達を行う。
【００３７】
なお、各機能モジュール１３は、各機能モジュール１３が有する機能を示す機能番号をメモリに記憶している。そして、本体部１１、または、他の機能モジュール１３においては、レール１２に取付けられた機能モジュール１３の機能番号を読取り、レール１２にどのような機能を有する機能モジュール１３が取付けられたかを判断する。
【００３８】
これら機能モジュール１３は、図１に示すように、レール１２の先端部１２ａにおいて、このレール１２に対して挿入し、また、取外すことができる。そして、この携帯端末装置は、複数の機能モジュール１３がレール１２に取付けられた状態において、携帯することが可能な大きさに構成されている。
【００３９】
〔第１の実施の形態の動作〕
この携帯端末装置においては、図７に示すように、機能部として制御部２１、通信回路部２２、表示手段となる表示部２３、操作部２４、メモリ２５、スピーカ２６、マイク２７及び通知回路２８を有する複数の機能モジュール１３がレール１２に接続された状態においては、これら各機能部は、レール１２内の電極であるバス１２３に接続されている。なお、バス１２３は、実際には、制御バス、データバス及びアドレスバスの３本で構成されているが、ここでは簡略化して１本のバスとして示している。このパス１２３は、本体部１１内の電子回路部にも接続されている。
【００４０】
また、各機能モジュールの機能部は、レール１２内の電極である電源ライン１２４を介して本体部１１内の電源１１０に接続され、この電源１１０より、電源供給をなされる。
【００４１】
制御部２１は、レール１２に接続されている各機能モジュールから機能番号を読み込み、予め記憶しているデータテーブルに照合し、レール１２に接続されている各機能モジュールの各機能を判断する。
【００４２】
通信回路部２２は、アンテナ２２ａを介して、電話回線に接続された他の通信端末との間で無線通信を行う。表示部２３は、液晶表示装置の如き表示手段を有しており、文字、数字及び画像などの表示を行う。なお、この表示部２３を有する機能モジュールは、外部の大型ディスプレイと接続する機能を有していてもよく、接続された大型ディスプレイを制御する機能を有するものとしてもよい。
【００４３】
操作部２４は、テンキーなどの入力インターフェイスを備えており、ユーザの数字入力や文字入力を受付ける機能を有している。メモリ２５は、例えば、フラッシュメモリ素子の如きメモリ素子を有して構成され、種々のデータの記憶を行う。なお、メモリ２５を有する機能モジュールは、外部メモリと接続する機能を有していてもよく、接続された外部メモリを制御する機能を有するものとしてもよい。
【００４４】
スピーカ２６は、操作音や着信音などを出力するほか、通話時の受話部となる。マイク２７は、通話時の送話部となる。通知回路２８は、制御部２１により判断された機能モジュール１３の接続状態を、表示部２２を介して表示する機能を有する。すなわち、この携帯端末装置においては、レール１２に機能モジュール１３が取付けられたときに、表示部２２により、取付けられた機能モジュール１３が有している機能が表示される。
【００４５】
そして、機能モジュール１３の接続状態を判断した制御部２１は、内蔵されたプログラムから携帯電話電話機用のプログラムを読出して実行することにより、この携帯端末装置を携帯電話機として機能させる。
【００４６】
なお、この実施の形態においては、制御部２１が機能モジュール１３の１つに内蔵されているものとして説明したが、この制御部２１は、本体部１１に内蔵されていることとしてもよい。また、レール１２に取付けられた機能モジュール１３が有している機能を表示する表示部、または、操作部２４は、本体部１１に設けることとしてもよい。
【００４７】
そして、この携帯端末装置は、上述のように携帯電話機として使用する構成の他、機能モジュール１３を交換、取外し、または、追加することにより、種々の機能を有する装置として使用することができる。
【００４８】
すなわち、機能モジュール１３としては、以下の〔表１〕に示すように、例えば、機能番号１乃至１０の１０種類の機能に対応されたものが考えられ、さらに、ここでは示さない他の機能に対応されたものも考えられる。そして、制御部２１は、レール１２に接続された各機能モジュール１３が有する機能を認識することができる。
【表１】
2005142755.tif 000003
【００４９】
ここで、番号１の機能モジュールである「通信モジュール」は、上述したような携帯電話としての機能や、テレビジョンチューナ等、無線通信の機能を有する機能モジュールである。また、番号２の機能モジュールである「マイクモジュール」は、マイクを内蔵している機能モジュールである。番号３の機能モジュールである「スピーカモジュール」は、スピーカを内蔵し、音響を出力する機能モジュールである。番号４の機能モジュールである「ディスプレイモジュール」は、表示部を備え、または、外部の大型ディスプレイを制御して表示を行う機能モジュールである。番号５の機能モジュールである「カメラモジュール」は、ＣＣＤカメラ等の撮像装置を内蔵して構成された撮像用の機能モジュールである。
【００５０】
さらに、番号６の機能モジュールである「ヘッドホンモジュール」は、接続されたヘッドホンを制御する機能モジュールである。番号７の機能モジュールである「特殊操作モジュール」は、ゲーム用の特殊コントローラを内蔵した機能モジュールである。番号８の機能モジュールである「キーボードモジュール」は、テンキーなどの入力インターフェイスを内蔵し、または、外部のパーソナルコンピュータ用のキーボードが接続される機能モジュールである。番号９の機能モジュールである「音楽再生ドライバモジュール」は、音楽を再生する機能を有する機能モジュールである。番号１０の機能モジュールである「外部メモリ用ドライバモジュール」は、外部メモリが接続され、この外部メモリに対するデータの読出し及び書込みを制御する機能モジュールである。
【００５１】
このような種々の機能を有する機能モジュールを適宜組合わせて使用することにより、この携帯端末装置として、種々の機器としての使用が可能となる。すなわち、以下の〔表２〕に示すように、この携帯端末装置を携帯電話機として使用する場合に最低限必要な機能モジュールは、番号１、番号２及び番号３の組合わせ、すなわち、「通信モジュール」、「マイクモジュール」及び「スピーカモジュール」（または「ヘッドホンモジュール」）である。
【表２】
2005142755.tif 000004
【００５２】
また、この携帯端末装置を、画像情報の鑑賞を行うためのビューワ装置として使用する場合に最低限必要な機能モジュールは、番号４の「ディスプレイモジュール」であり、これに、「スピーカモジュール」または「ヘッドホンモジュール」が追加しても良い。
【００５３】
同様に、この携帯端末装置は、〔表２〕に示すように、テレビジョン受信機、テレビ電話、音声レコーダ、デジタルスチルカメラ、デジタルムービー（動画）カメラ、ゲーム機、または、ＰＤＡ（Personal Digital Assistance）などとして、最低限必要な機能モジュール１３をレール１２に取付けることにより、使用することができる。
【００５４】
〔第１の実施の形態の効果〕
以上説明したように、この実施の形態における携帯端末装置は、レール１２に各機能モジュール１３を選択的に取付けることにより、所望の機能を有する機器として構成することができる。この携帯端末装置においては、必要最低限の機能モジュール１３のみをレール１２に取付ければよく、使用しない機能を備えるために装置構成が大型化してしまうことがない。
【００５５】
また、この携帯端末装置においては、必要な機能が変更された場合には、機能モジュール１３の交換、追加、または、取外しをするだけでよく、簡単な作業によって必要な機能を有する機器として再構成することができる。
【００５６】
さらに、この携帯端末装置においては、それまでになかった機能が開発された場合には、この新機能を実現するための機能モジュールのみを追加すればよく、装置全体を交換する必要がない。
【００５７】
なお、この携帯端末装置においては、レール１２がバスや電源供給ラインなどの共通ラインを有しているので、このレール１２に取付けられる各機能モジュール１３は、レール１２に取付けられる順序にかかわりなく、正常に機能することができる。
【００５８】
〔第２の実施の形態の構成〕
この携帯端末装置は、図８に示すように、上述の第１の実施の形態におけるレール１２に代えて、取付扞として、リング１４を設けて構成してもよい。このリング１４は、上述のレール１２と同様の構成を有し、このレール１２をリング状に屈曲させて形成したものである。このリング１４は、基端部が本体部１１に取付けられており、先端部１４ａが本体部１１より離間されている。この場合にも、各機能モジュール１３は、このリング１４の先端部１４ａにおいて、このリング１４に対して挿入し、また、取外すことができる。そして、各機能モジュール１３は、リング１４に対して、このリング１４に沿ってスライド可能に取付けられる。
【００５９】
なお、リング１４の先端部１４ａは、本体部１１に対して接離可能として構成してもよい。この場合には、リング１４に機能モジュール１３を取り付けた後、このリング１４の先端部１４ａを本体部１１に接触させておくことにより、機能モジュール１３のリング１４からの不用意な脱落を防止することができる。
【００６０】
そして、この携帯端末装置は、複数の機能モジュール１３がリング１４に取付けられた状態において、携帯することが可能な大きさに構成されている。
【００６１】
〔第２の実施の形態の動作〕
この実施の形態における携帯端末装置は、上述の第１の実施の形態における携帯端末装置と同様に動作する。
【００６２】
〔第２の実施の形態の効果〕
この実施の形態における携帯端末装置は、上述の第１の実施の形態における携帯端末装置と同様の効果を奏する。また、取付扞がリング状となされていることにより、一層の小型化、携帯の容易化を図ることができる。
【００６３】
〔第３の実施の形態の構成〕
上述の各実施の形態においては、本体部１１と各機能モジュール１３との間の接続が、レール１２内、または、リング１４内に設けられた電極を介して行われるようにしていたが、これら本体部１１及び各機能モジュール１３間の接続は、電磁誘導によって行われるようにしてもよい。すなわち、レール１２、または、リング１４から各機能モジュール１３への電源供給及びこれらレール１２、または、リング１４及び機能モジュール１３間の信号伝達を、電磁誘導によって行うようにすることができる。
【００６４】
この場合には、レール１２、または、リング１４及び機能モジュール１３間の信号伝達は、レール１２、または、リング１４から機能モジュール１３への電源供給のための周波に重畳された周波によって行われる。
【００６５】
この実施の形態においては、図９に示すように、この携帯端末装置の本体部３２が取付扞としてリング３３を有するものとして説明する。この取付扞は、上述した第１の実施の形態のように、直線状のレールとして構成してもよい。
【００６６】
本体部３２は、上述した実施の形態と同様に電源部を内蔵し、さらに、交流発生回路及び信号生成回路などを内蔵している。リング３３は、強磁性体を材料としてリング状に形成されている。このリング３３には、複数の機能モジュール３４が取付けられる。リング３３は、基端側が本体部３２に取付けられ、先端側が本体部３２より離間されている。そして、このリング３３の先端部と本体部３２との間は、本体部３２に支軸３３ｂにより回動可能に取付けられたレバー３３ａによって繋げられている。このレバー３３ａは、本体部３２に対して回動されてリング３３の先端部より離間されることにより、このリング３３に対する機能モジュール３４の着脱を可能とし、また、リング３３の先端部に当接されることにより、このリング３３からの機能モジュール３４の脱落を防止する。
【００６７】
機能モジュール３４は、上述の実施の形態におけるヘッド１３２に代えて、リング３３への連結用の取付リング３４ａを備えている。機能モジュール３４は、この取付リング３４ａ内にリング３３が挿通されることにより、このリング３３に取付けられる。
【００６８】
この機能モジュール３４の取付リング３４ａ以外の部分の構成及び機能は、前述した実施の形態における機能モジュール１３と同様である。
【００６９】
〔第３の実施の形態の動作〕
この実施の形態における携帯端末装置においては、図１０に示すように、本体部３２は、電源部から供給される直流を交流発生回路により交流変換して交流電源Ｖ１として、コイル３２ａに流す。このコイル３２ａは、リング３３の一部を芯として巻かれたコイルである。この交流電源Ｖ１は、強磁性体で形成されたリング３３を介して、各機能モジュール３４のコイル３４ｂにおいて、誘導起電力を発生させる。機能モジュール３４のコイル３４ｂは、取付リング３４ａ内に設置されたコイルであり、この取付リング３４ａがリング３３に取付けられている状態においては、このリング３３を芯として巻かれていることになる。
【００７０】
また、本体部３２の信号生成回路は、交流電源Ｖ１の周波に、各機能モジュール３４との間で授受を行うデータに対応した信号Ｓ１の周波を重畳して、コイル３２ａに流す。したがって、各機能モジュール３４のコイル３４ｂにおいては、強磁性体で形成されたリング３３を介して、電源Ｖ１及び信号Ｓ１の和（Ｖ１＋Ｓ１）に応じた誘導起電力が発生する。
【００７１】
各機能モジュール４３は、コイル３４ｂにおいて生じた誘導起電力から、機能部を駆動するための電力を取出すとともに、信号Ｓ１を受信する。
【００７２】
同様に、一の機能モジュール３４から信号を出力する場合においては、各機能モジュール３４の信号生成回路が、送信する信号の周波をコイル３４ｂに流す。本体部３２のコイル３２ａ及び他の機能モジュール３４のコイル３４ｂにおいては、強磁性体で形成されたリング３３を介して、一の機能モジュール３４から送信された信号に応じた誘導起電力が発生する。本体部３２及び他の機能モジュール３４は、各コイル３２ａ，３４ｂにおいて生じた誘導起電力から、一の機能モジュール３４から送信された信号を受信する。
【００７３】
〔第３の実施の形態の効果〕
この実施の形態においては、電磁誘導を利用して電力供給及び信号授受を行うことにより、本体部３２と各機能モジュール３４との間の電気的な接点が不要となっでいるので、構造を簡素化することができる。
【００７４】
なお、この実施の形態においては、電力供給及び信号授受に電磁誘導を利用するものを示したが、その他の無線電波を利用して電力供給及び信号授受を行うこととしてもよい。また、電力供給を電磁誘導を利用して行い、信号授受を無線電波を利用して行うようにしてもよい。
【図面の簡単な説明】
【００７５】
【図１】本発明に係る携帯端末装置の第１の実施の形態における構成を示す側面図である。
【図２】上記携帯端末装置におけるレールの構造を示す斜視図である。
【図３】上記携帯端末装置における機能モジュールの構成を示す斜視図である。
【図４】上記携帯端末装置における機能モジュールの端子の構造を示す断面図である。
【図５】上記携帯端末装置において機能モジュールをレールに取付ける状態を示す斜視図である。
【図６】上記携帯端末装置における機能モジュールとレールとの連結状態を示す断面図である。
【図７】上記携帯端末装置の構成を示すブロック図である。
【図８】本発明に係る携帯端末装置の第２の実施の形態における構成を示す側面図である。
【図９】本発明に係る携帯端末装置の第３の実施の形態における構成を示す側面図である。
【図１０】上記第３の実施の形態における携帯端末装置の電源供給及び信号伝達の原理を示す側面図である。
【符号の説明】
【００７６】
１１，３２  本体部、１２  レール、１３  機能モジュール、１４，３３  リング、２１  制御部、２２  通信回路部、２３  表示部、１１０  電源部、１３０  機能部
【図１】
2005142755.tif 000005
【図２】
2005142755.tif 000006
【図３】
2005142755.tif 000007
【図４】
2005142755.tif 000008
【図５】
2005142755.tif 000009
【図６】
2005142755.tif 000010
【図７】
2005142755.tif 000011
【図８】
2005142755.tif 000012
【図９】
2005142755.tif 000013
【図１０】
2005142755.tif 000014